(57)【要約】【課題】多種多様な編みモードに対応でき、電子部品などを使用することなく、簡単かつ安価な方法によって、それらの編みモードを設定できる横編機を提供すること。【解決手段】歯口２を挟んで前方及び後方に向けてのびる前針床３Ｆ及び後針床３Ｂとを一体にもつ針床３と、歯口に向かって進退自在に並設され、針床の上面から突き出た針バット８を備えた複数の編針５とを有する編機本体１と、前針床及び後針床の上面を編針の配列方向に往復摺動するキャリッジ４とを含み、キャリッジが、その下面に編針の針バットと係合する編針誘導カムを備え、その係合によって編針を歯口に向けて編成位置まで前進させて編糸を編成する横編機において、キャリッジと編機本体との間に、キャリッジの往復摺動終端部における折り返し動作点を検知し、編針の選択または非選択を設定する検知手段１０を設けてなる横編機。【選択図】図１
2007162165.tif 000002
【特許請求の範囲】
【請求項１】
歯口を挟んで前方及び後方に向けてのびる前針床及び後針床とを一体にもつ針床と、前記歯口に向かって前記針床に沿って進退自在に並設されていて、前記針床の上面から突き出た針バットを備えた複数の編針とを有する編機本体と、
前記前針床及び後針床の上面を前記編針の配列方向に往復摺動するキャリッジとを含むものからなり、
前記キャリッジが、その下面に選択された編針の針バットと係合する編針誘導カムを備え、前記編針誘導カムと前記編針の針バットとの係合によって、前記編針を歯口に向けて編成位置まで前進させて編糸を編成する横編機において、
前記キャリッジと前記編機本体との間に、前記キャリッジの往復摺動終端部における折り返し動作点を機械的に検知する検知手段を設けてなり、前記検知手段によって、編針の選択または非選択を設定するようにしたことを特徴とする横編機。
【請求項２】
前記検知手段が、前記編機本体における前記キャリッジの往復摺動終端部側に設けた左右のストッパーと、前記キャリッジの往復摺動方向の左右両先頭部に設けられていて、前記左右のストッパーと接触して感応する左右の編針選択スイッチとからなり、前記左右のストッパーと前記左右の編針選択スイッチとの接触感応によって編針の選択または非選択を設定するようにしたことを特徴とする請求項１に記載の横編機。
【請求項３】
前記左右のストッパーが、前記左右の編針選択スイッチと接触して感応する第１の位置と、接触しない第２の位置とに選択的に位置決め設定可能なように取り付けられていることを特徴とする請求項２に記載の横編機。
【請求項４】
前記編針選択スイッチが、前記第２の位置をとるとき、前記編針選択スイッチが、前記左右のストッパーに接触しないように、前記左右のストッパーに抜き部を設けたことを特徴とする請求項３に記載の横編機。
【請求項５】
前記左右のストッパーが、前記キャリッジの往復摺動方向に対して移動可能に位置決めされているものからなることを特徴とする請求項１〜請求項４のいずれかに記載の横編機。
【発明の詳細な説明】
【技術分野】
【０００１】
この発明は、手芸用の横編機に関するものであって、特に、帽子、レッグウォーマー、ペットボトルカバー等の製作にあたって、手芸用、玩具用、レクリェーション用途、さらにはリハビリ用途に適合するように構成した、筒編み、平編み、ゴム編みの編物を簡単な操作で、簡易的に編成できる横編機に関するものである。
【背景技術】
【０００２】
従来の手芸用あるいは玩具用の編機としては、編針が円状に配置された丸編機が公知である。この丸編機は、操作が簡単であり、しかも安価であること、さらには、これによると、例えば、レッグウォーマーのような筒編みの編物、或いは、タオルのような平編みの編物を編めることから広く普及している。
【０００３】
また、歯口を挟んで前方及び後方に向けてのびる前針床及び後針床とを一体にもつ針床と、歯口に向かって進退自在に並設されていて、針床の上面から突き出た針バットを備えた複数の編針とを有する構成でなる横編機についても公知である。この横編機は、針床の上面において往復摺動するキャリッジを備えており、該キャリッジの下面に設けられた編針誘導カムと編針に設けられた針バットとを設定を変えながら係合させることによって、編針を編成位置まで進退移動させて所望の編物が編めるようになっている。さらに、編針誘導カムのカム経路を切り替えることによって、ニット、タック、ミスト等を組み合わせた編物を編めることから広く普及している。
【０００４】
しかしながら、従来の丸編機では、筒編みを編む場合において、編針を円の周長に配置するという制約があるため、小さな周長サイズあるいは大きな周長サイズの編物に対応できる編機を提供することが困難であった。
【０００５】
一方、従来の横編機は、編針誘導カムの入口に、編針を誘導するカム溝を選択するカム経路切替プレートが設けられており、同一の編物を繰り返して編む場合であっても、往復摺動するキャリッジが編機の往復摺動終端部における折り返し動作ごとに、カム経路切替プレートに連結されたレバーを適宜操作する必要があった。万が一にも、この操作を怠ると、編糸を解いて編み直しをする必要があり、その作業は非常に煩わしいものであった。
【０００６】
このように玩具用あるいは手芸用の横編機の場合には、レバーの操作を忘れることがないような機構を設けるとともに、一般の使用者が簡単に、さらに望ましくは、無意識のうちに操作することができて、しかも、安価に実現できる機構であることが求められている。
【発明の開示】
【発明が解決しようとする課題】
【０００７】
この発明は、このような従来の横編機の問題点に着目してなされたもので、筒編み、或いは、フラット平編み、或いは、ゴム編みなどの多種多様な編みモードに対応できるものであって、電子部品などを使用することなく、簡単かつ安価な方法によって、それらの編みモードを設定できるスイッチ機構を装備してなる横編機を提供することを目的とするものである。
【課題を解決するための手段】
【０００８】
この発明は、上記する目的を達成するにあたって、具体的には、歯口を挟んで前方及び後方に向けてのびる前針床及び後針床とを一体にもつ針床と、前記歯口に向かって前記針床に沿って進退自在に並設されていて、前記針床の上面から突き出た針バットを備えた複数の編針とを有する編機本体と、
前記前針床及び後針床の上面を前記編針の配列方向に往復摺動するキャリッジとを含むものからなり、
前記キャリッジが、その下面に選択された編針の針バットと係合する編針誘導カムを備え、前記編針誘導カムと前記編針の針バットとの係合によって、前記編針を歯口に向けて編成位置まで前進させて編糸を編成する横編機において、
前記キャリッジと前記編機本体との間に、前記キャリッジの往復摺動終端部における折り返し動作点を機械的に検知する検知手段を設けてなり、前記検知手段によって、編針の選択または非選択を設定するようにしたことを特徴とする横編機を構成するものである。
【０００９】
さらに、この発明において請求項２に記載の発明は、請求項１に記載の横編機であって、前記検知手段が、前記編機本体における前記キャリッジの往復摺動終端部側に設けた左右のストッパーと、前記キャリッジの往復摺動方向の左右両先頭部に設けられていて、前記左右のストッパーと接触して感応する左右の編針選択スイッチとからなり、前記左右のストッパーと前記左右の編針選択スイッチとの接触感応によって編針の選択または非選択を設定するようにしたことを特徴とするものである。
【００１０】
さらに、この発明において請求項３に記載の発明は、請求項２に記載の横編機であって、前記左右のストッパーが、前記左右の編針選択スイッチと接触して感応する第１の位置と、接触しない第２の位置とに選択的に位置決め設定可能なように取り付けられていることを特徴とするものである。
【００１１】
さらに、この発明において請求項４に記載の発明は、請求項３に記載の横編機であって、前記編針選択スイッチが、前記第２の位置をとるとき、前記編針選択スイッチが、前記左右のストッパーに接触しないように、前記左右のストッパーに抜き部を設けたことを特徴とするものである。
【００１２】
さらに、この発明において請求項５に記載の発明は、請求項１〜請求項４のいずれかに記載の横編機であって、前記左右のストッパーが、前記キャリッジの往復摺動方向に対して移動可能に位置決めされているものからなることを特徴とするものである。
【発明の効果】
【００１３】
この発明になる横編機によると、手芸用あるいは玩具用として、筒編み、フラット編み、ゴム編みなど多種多様な編物に対応できるだけでなく、その基本動作であるキャリッジの往復摺動の摺動終端部における折り返し動作によって、編針の選択および非選択の設定変更が確実におこなわれるため、ユーザーが変更操作を常に気に留める必要がなくなり、創作的な編物を編む楽しさに没頭することができる。また、そのような横編機を安価に提供することができる。
【００１４】
さらに、キャリッジに内蔵された編針誘導カムをカートリッジ式として交換したり、針床をカセット式で連結すれば、バリエーションが一層広がり、本格的な編物を楽しむことができる。
【発明を実施するための最良の形態】
【００１５】
以下、この発明になる横編機について、図面に示す具体的な実施例に基づいて詳細に説明する。
【００１６】
図１は、この発明になる横編機の全体的な外観を概略的に示す斜視図である。まず、横編機の構成として、図１のように、編機本体１は、歯口２を挟んで前方および後方に向けてのびる前針床３Ｆおよび後針床３Ｂとを一体にもつ横断面が略逆Ｖ字形を呈した針床３と、前記歯口２に向かって進退自在に並設された複数の編針５とを含むものからなっている。前記編針５の一端側には、前記前針床３Ｆおよび後針床３Ｂの上面から突き出た針バット８が設けてある。このとき、前記前針床３Ｆに並設される編針５と後針床３Ｂに並設される編針５は、編針間隔の２分の１の長さ分だけずらした位置で対面する、所謂、リブ出合いの関係にある。
【００１７】
一方、この発明になる横編機は、キャリッジ４を含むものからなっている。前記キャリッジ４は、前記編機本体１における前針床３Ｆおよび後針床３Ｂの上面を前記編針５の配列方向に往復摺動する前方操作部４Ｆおよび後方操作部４Ｂを連続一体的にもつものからなっている。前記キャリッジ４は、その下面に選択された編針５の針バット８と係合する前方および後方編針誘導カム７Ｆおよび７Ｂを含む編針誘導カム７を備えており、前記編針誘導カム７と編針５の針バット８との係合によって、前記編針５を歯口２に向けて編成位置まで前進させて編糸Ｙを編成するものである。
【００１８】
この発明になる横編機は、前記キャリッジ４と前記編機本体１との間に、前記キャリッジ４の往復摺動終端部における折り返し動作点を機械的に検知する検知手段１０が設けてある。前記検知手段１０は、編針の選択または非選択を設定するためのものであって、前記編機本体１における前記キャリッジ４の往復摺動終端部側に設けた４個のストッパー１１ＦＬ、１１ＦＲ（図示せず）、１１ＢＬ（図示せず）、１１ＢＲ（図示せず）と、前記キャリッジ４の往復摺動方向の左右両先頭部に設けられていて、前記４個のストッパー１１ＦＬ、１１ＦＲ、１１ＢＬ、１１ＢＲに対応し、それぞれ個別に接触感応し得る４個の編針選択スイッチ１２ＦＬ、１２ＦＲ、１２ＢＬ（図示せず）、１２ＢＲ（図示せず）とによって構成されており、当該ストッパーと前記編針選択スイッチ１２との接触感応によって編針５の選択または非選択を設定するようにしてある。
【００１９】
前記左右のストッパー１１は、具体的には、前記左右の編針選択スイッチと接触して感応する第１の位置と、接触しない第２の位置とに選択的に位置決め設定可能なように前記編機本体１における前針床３Ｆおよび後針床３Ｂの上面に取り付けられている。
【００２０】
この発明の一実施例において、前記４個のストッパー１１ＦＬ、１１ＦＲ、１１ＢＬ、１１ＢＲは、それぞれ図１Ｂに示すような構成のものからなっている。すなわち、図１Ｂに示すように、前記ストッパー１１は、当接板部１１ａと、外力を加えることによって小径化する横断面円形形状若しくは横断面楕円形形状のスナッピング装着基部１１ｂとを備えており、抜き部１１ｃを有するものからなっている。
【００２１】
このストッパー１１に対して、前記編機本体１における前針床３Ｆおよび後針床３Ｂの上面に、当該ストッパー１１を移動可能に、且つ、固定可能に案内支持する溝手段１７が設けてある。一例になる前記溝手段１７は、図１Ｂに示すように、前記ストッパー１１を、前記編針選択スイッチ１２と接触して感応する第１の位置Ｐ１に位置決めする第１のガイド溝１７ａと、接触しない第２の位置Ｐ２に位置決めする第２のガイド溝１７ｂとを有し、さらに、前記ストッパー１１を、前記第１のガイド溝１７ａから前記第２のガイド溝１７ｂに案内する第３のガイド溝１７ｃを有している。
【００２２】
さらに、前記溝手段１７に対しては、前記ストッパー１１を前記溝手段１７における所定の位置で固定するための固定手段１８が設けてある。前記固定手段１８は、図１Ｂに示すように、前記第１のガイド溝１７ａと第３のガイド溝１７ｃとの交点に設けた第１の孔部１８ａと、前記第２のガイド溝１７ｂと第３のガイド溝１７ｃとの交点に設けた第２の孔部１８ｂとによって構成されている。前記第１のガイド溝１７ａ、第２のガイド溝１７ｂおよび第３のガイド溝１７ｃの幅寸法は、前記ストッパー１１におけるスナッピング装着基部１１ｂが小径化した状態で、当該ストッパー１１の移動が可能な寸法であり、前記第１の孔部１８ａおよび第２の孔部１８ｂの径寸法は、前記ストッパー１１におけるスナッピング装着基部１１ｂが大径復帰した状態で、当該ストッパー１１を固定可能な寸法である。前記ストッパー１１の固定時における回転を阻止する要素として、当該ストッパー１１におけるスナッピング装着基部１１ｂと、前記固定手段１８との間に、キーおよびキー溝の回転阻止手段（図示せず）を設けておくことも有効である。
【００２３】
図２は、この発明になる横編機におけるキャリッジ４の裏面側に設けてある編針誘導カム７の具体的な機構を示す図であって、図２Ａは、編針誘導カムを平面視した状態を示す概略的な平面図、図２Ｂは、図２Ａにおける２Ｂ−２Ｂ線断面図、図２Ｃは、キャリッジ４に編針選択スイッチ１２を組み合わせた状態を示す概略的な側面図である。前記編針誘導カム７の構成としては、図２Ａに示すように、左右片側１箇所ずつの入口７ａおよび７ｂがあり、内部には前記編針５の針バット８の通過を許容する２本のカム経路９Ｈ、９Ｌが設けてある。前記カム経路９Ｈは、山型のラインを形成しており、カム経路９Ｌは、直進型のラインを形成している。編針誘導カム７におけるカム経路９Ｌの入口には、板バネ状で上下に揺動するカム経路切替プレート１３が設けられており、図３Ａに示すように、カム経路切替プレート１３が下がっている場合は、山型のカム経路９Ｈを選択し、編針誘導カム７と編針５に形成された針バット８との係合によって、キャリッジ４が摺動するとともに編針５が歯口２に向かって進行し、歯口２の近傍において編糸と出会い編目が形成される。一方、図３Ｂに示すように、前記カム経路切替プレート１３が上がっている場合は、直進型のカム経路９Ｌを選択し、編針誘導カム７と編針５に形成された針バット８との係合によって、編針５に形成された歯口２に向かって誘導されることなく直進し、このウェルでの編目は形成されない。この時、カムの入口およびカム経路を数多く形成し、編針５の待機位置をカムの入口に応じて適宜変更することで、ニット、タック、ミス等の編組織のバリエーションを増やすことができる。
【００２４】
図３Ａおよび図３Ｂは、この発明に係る実施の一形態であるキャリッジ側に設けたスイッチ機構の作動状態を示す図であって、図３Ａは、編針選択スイッチ１２の非作動状態を示す概略的な斜視図、図３Ｂは、編針選択スイッチ１２の作動状態を示す概略的な斜視図である。前記編針選択スイッチ１２は、前記ストッパー１１における当接板部１１ａに直接的に当接する入力端１２ａと、後述するレバー部材１４の第１レバー部１４ａに当接する出力端１２ｂとを備えたものからなっている。
【００２５】
まず、編針選択スイッチ１２の動作として、キャリッジ４の往復摺動において、編針選択スイッチ１２とストッパー１１が接触感応すれば、編針選択スイッチ１２の設定状態が変更され、接触しなければ、編針選択スイッチ１２の設定状態が保持される。これらの動作を可能とする為に、ストッパー１１が、編針選択スイッチ１２と接触感応し得る第１の位置Ｐ１と、接触しない第２の位置Ｐ２とを変更自在に取り付けられている。一方、ストッパー１１には、第２の位置にある編針選択スイッチ１２とは接触しないようにするための抜き部１１ｃが設けられている。
【００２６】
ここでいう編針選択スイッチ１２は、ＰＵＳＨの状態でスイッチを押せばＰＵＬＬ状態になり、ＰＵＬＬの状態でスイッチを押せばＰＵＳＨ状態になる、所謂、オルタネイト式スイッチの動作をなすスイッチである。この発明において、前記編針選択スイッチ１２は、上記するオルタネイト式スイッチに限定されるものではなく、例えば、ノック式ボールペンのノック部材のようなものであればよい。このときの編針選択スイッチ１２の設定状態によって、枢支軸１５に支持されたレバー部材１４を介して、カム経路切替プレート１３が設定される（図３Ａおよび図３Ｂ参照）。このようなスイッチ機構を有することによって、キャリッジの摺動終端部における折り返し動作によって、簡単かつ確実に、それぞれの摺動方向での編針の選択および非選択が設定できる。
【００２７】
さらに、ストッパー１１は、例えば、針床３に設けた溝手段１７に沿って、キャリッジ４の往復摺動方向における所望の位置に設定変更することができる。これにより、所望の幅の編物が編める。
【００２８】
この発明に係る横編機では、編物の形状および組織を編モードとして設定しておき、これらに基づいて、筒編み、フラット編み、ゴム編みのそれぞれに関して、その動作原理を、表１および表２に基づいて詳細に説明する。
【００２９】
【表１】
2007162165.tif 000003
【００３０】
上記表１は、当該横編機におけるスイッチ機構の編みモード設定条件を表にしたものであり、筒編みと、フラット編みと、ゴム編みとを併記しており、例えば、筒編みによる場合は、前針床右側のスイッチ１２ＦＲは、〔編む〕の状態であり、前針床左側のスイッチ１２ＦＬは、〔編まない〕の状態であり、後針床右側のスイッチ１２ＢＲは、〔編まない〕の状態であり、後針床左側のスイッチ１２ＢＬは、〔編む〕の状態である。一方、上記筒編みによる場合、ストッパーとの接触感応に関して、前針床右側のスイッチ１２ＦＲ、前針床左側のスイッチ１２ＦＬ、後針床右側のスイッチ１２ＢＲは、後針床左側のスイッチ１２ＢＬのいずれもが、〔接触しない〕に設定する。
【００３１】
フラット編みによる場合は、前針床右側のスイッチ１２ＦＲは、〔編む〕の状態であり、前針床左側のスイッチ１２ＦＬは、〔編まない〕の状態であり、後針床右側のスイッチ１２ＢＲは、〔編まない〕の状態であり、後針床左側のスイッチ１２ＢＬは、〔編む〕の状態である。一方、上記フラット編みによる場合、ストッパーとの接触感応に関して、前針床右側のスイッチ１２ＦＲ、前針床左側のスイッチ１２ＦＬ、後針床右側のスイッチ１２ＢＲは、後針床左側のスイッチ１２ＢＬのいずれもが、〔接触する〕に設定する。
【００３２】
ゴム編みによる場合は、前針床右側のスイッチ１２ＦＲ、前針床左側のスイッチ１２ＦＬ、後針床右側のスイッチ１２ＢＲ、後針床左側のスイッチ１２ＢＬのいずれもが、〔編む〕の状態であり。一方、上記ゴム編みによる場合、ストッパーとの接触感応に関して、前針床右側のスイッチ１２ＦＲ、前針床左側のスイッチ１２ＦＬ、後針床右側のスイッチ１２ＢＲは、後針床左側のスイッチ１２ＢＬのいずれもが、〔接触しない〕に設定する。
【００３３】
【表２】
2007162165.tif 000004
【００３４】
次いで、表２に基づいて、当該横編機におけるスイッチ機構の動作原理について説明する。まず、筒状の編物を編む場合には、表２の筒編みモードの行に記載されている通り、次の〔１〕〜〔２〕の動作を繰り返し行う。
〔１〕キャリッジ４（４Ｆ、４Ｂ）を右方向に摺動しながら前針床３Ｆに並設された編針５だけで編む。このとき、編機本体１の右端において、右側のストッパー１１ＦＲ、１１ＢＲは、キャリッジ４の往復摺動先頭部にある編針選択スイッチ１２ＦＲ、１２ＢＲと接触しない第２の位置Ｐ２にあり、キャリッジ４の前方操作部４Ｆにある編針選択スイッチ１２ＦＲは選択〔編む〕状態のままで保持される。一方、キャリッジ４の後方操作部４Ｂにある編針選択スイッチ１２ＢＲは非選択〔編まない〕状態のままで保持される。
〔２〕キャリッジ４（４Ｆ、４Ｂ）を左方向に摺動しながら後針床３Ｂに並設された編針５だけで編む。このとき、編機本体１の左端において、左側のストッパー１１ＦＬ、１１ＢＬは、キャリッジ４の往復摺動先頭部にある編針選択スイッチ１２ＦＬ、１２ＢＬと接触しない第２の位置Ｐ２にあり、キャリッジ４の前方操作部４Ｆにある編針選択スイッチ１２ＦＬは非選択〔編まない〕状態のままで保持される。一方、キャリッジ４における後方操作部４Ｂにある編針選択スイッチ１２ＢＬは選択〔編む〕状態のままで保持される。このとき、前後の針床の〔編む〕、或いは、〔編まない〕の関係が正反対であっても同じことであり、まったく問題はない。
【００３５】
次に、平状の編物を編む場合には、表２のフラット編みモードの行に記載されている通り、次の〔１〕〜〔４〕の動作を繰り返しおこなう。ここでいうフラット編みモードとは、編成段階では、横編機を上から見て、コの字状になって両端が存在する編物である。
〔１〕キャリッジ４（４Ｆ、４Ｂ）を右方向に摺動しながら前針床３Ｆに並設された編針５だけで編む。このとき、編機本体１の右端において、右側のストッパー１１ＦＲ、１１ＢＲは、キャリッジ４の往復摺動先頭部にある編針選択スイッチ１２ＦＲ、１２ＢＲに対して接触感応する第１の位置Ｐ１にあり、当該編針選択スイッチ１２ＦＲ、１２ＢＲは右側のストッパー１１ＦＲ、１１ＢＲと接触感応し、キャリッジ４の前方操作部４Ｆにある編針選択スイッチ１２ＦＲは選択〔編む〕状態から非選択〔編まない〕状態に変更される。一方、キャリッジ４の後方操作部４Ｂにある編針選択スイッチ１２ＢＲは非選択〔編まない〕状態から選択〔編む〕状態に変更される。
〔２〕キャリッジ４（４Ｆ、４Ｂ）を左方向に摺動しながら後針床３Ｂに並設された編針５だけで編む。このとき、編機本体１の左端において、左側のストッパー１１ＦＬ、１１ＢＬは、キャリッジ４の往復摺動先頭部にある編針選択スイッチ１２ＦＬ、１２ＢＬに対して接触感応する第１の位置Ｐ１にあり、当該編針選択スイッチ１２ＦＬ、１２ＢＬは左側のストッパー１１ＦＬ、１１ＢＬと接触感応し、キャリッジ４の前方操作部４Ｆにある編針選択スイッチ１２ＦＬは非選択〔編まない〕状態から選択〔編む〕状態に変更される。一方、キャリッジ４の後方操作部４Ｂにある編針選択スイッチ１１ＢＬは選択〔編む〕状態から非選択〔編まない〕状態に変更される。
〔３〕キャリッジ４（４Ｆ、４Ｂ）を右方向に摺動しながら後針床３Ｂに並設された編針５だけで編む。このとき、編機本体１の右端において、右側のストッパー１１ＦＲ、１１ＢＲは、キャリッジ４の往復摺動先頭部にある編針選択スイッチ１２ＦＲ、１２ＢＲに対して接触感応する第１の位置Ｐ１にあり、当該編針選択スイッチ１２ＦＲ、１２ＢＲは右側のストッパー１１ＦＲ、１１ＢＲと接触感応し、キャリッジ４の前方操作部４Ｆにある編針選択スイッチ１２ＦＲは非選択〔編まない〕状態から選択〔編む〕状態に変更される。一方、キャリッジ４の後方操作部４Ｂにある編針選択スイッチ１２ＢＲは選択〔編む〕状態から非選択〔編まない〕状態に変更される。
〔４〕キャリッジ４（４Ｆ、４Ｂ）を左方向に摺動しながら前針床３Ｆに並設された編針５だけで編む。このとき、編機本体１の左端において、左側のストッパー１１ＦＬ、１１ＢＬは、キャリッジ４の往復摺動先頭部にある編針選択スイッチ１２ＦＬ、１２ＢＬに対して接触感応する第１の位置Ｐ１にあり、当該編針選択スイッチ１２ＦＬ、１２ＢＬは左側のストッパー１１ＦＬ、１１ＢＬと接触感応し、キャリッジ４の前方操作部４Ｆにある編針選択スイッチ１２ＦＬは選択〔編む〕状態から非選択〔編まない〕状態に変更される。一方、キャリッジ４の後方操作部４Ｂにある編針選択スイッチ１１ＢＬは非選択〔編まない〕状態から選択〔編む〕状態に変更される。このとき、前後の針床の〔編む〕、或いは、〔編まない〕の関係が正反対であっても同じことであり、まったく問題はない。
【００３６】
次に、平状のゴム編物を編む場合には、表２のゴム編みモードの行に記載されている通り、次の〔１〕〜〔２〕の動作を繰り返しおこなう。この場合、前針床３Ｆに並設される編針と、後針床３Ｂに並設される編針は、隣り合う編針との間にできる間隔の１／２ずれた位置に配置される。
〔１〕キャリッジ４（４Ｆ、４Ｂ）を右方向に摺動しながら前後の針床３Ｆ、３Ｂに並設された編針で編む。このとき、編機本体１の右端において、右側のストッパー１１ＦＲ、１１ＢＲは、キャリッジ４の往復摺動先頭部にある編針選択スイッチ１２ＦＲ、１２ＢＲと接触しない第２の位置Ｐ２にあり、キャリッジ４の前方操作部４Ｆおよび後方操作部４Ｂにある編針選択スイッチ１２ＦＲ、１２ＢＲは選択〔編む〕状態のままで保持される。
〔２〕キャリッジ４（４Ｆ、４Ｂ）を左方向に摺動しながら前後の針床３Ｆ、３Ｂに並設された編針で編む。このとき、編機本体１の左端において、キャリッジ４の往復摺動先頭部にある編針選択スイッチ１２ＦＬ、１２ＢＬは、左側のストッパー１１ＦＬ、１１ＢＬと接触しない第２の位置Ｐ２にあり、キャリッジ４の前方操作部４Ｆおよび後方操作部４Ｂにある編針選択スイッチ１２ＦＬ、１２ＢＬは選択〔編む〕状態のままで保持される。
【００３７】
尚、この発明において、キャリッジ４と、左右のストッパーとの接触感応によって、カム経路切替プレート１３に設けられた板バネの状態を設定変更するためのスイッチとして、編針選択スイッチ１２を、キャリッジ４側ではなく、左右のストッパー側に設けたものであってもよい。
【００３８】
さらに、本発明に係る横編機で編める編物の種類としては、前記の筒編み、フラット編み、ゴム編みが基本となるが、応用例として、筒編みで目数を増減させれば、帽子のように先が尖ったような形状の編物が編める。同様に、セーターのように体の部位に応じて周長を変更した編物が編める。また、目を飛ばせば、隙間のある編物を編める。キャリッジが到達する前に、編針を該当する待機位置に移動させれば、ミスト、タックを組み合わせた編物が編める。また、前後の針床の一方を、編針間隔の２分の１の長さだけ位置をスライドさせて互いの針床に並設される編針同志をずらさずに対面させる、所謂、両面出合いとすれば、スムース、シングルピケなどの編物が編めるようになる。このように、筒編み、フラット編み、ゴム編みにおいて、編み形状、組織に、さらに変化を加えることで、より高度な編物が編める。また、キャリッジ４Ｆ、４Ｂには、編糸を編針の出合い毎に供給する編糸供給装置６が設けられており、編糸供給装置６には、編針５が編む場合にのみ駆動し、編針の針バットと歯車のように駆動を連結するローラーによって、編糸が一定長供給される。これによって、色柄のある編糸であっても、如何なる編み形状、組織、ループ形状によっても給糸が一定長となるので、所望する色柄の編物が編める。このとき、シェニールヤーン、リリアン、インクジェットなどで着色されて色柄が配列した編糸を用いれば、より一層、意匠性の高い編物が編める。
【図面の簡単な説明】
【００３９】
【図１】この発明に係る横編機の具体的な一実施例を示すものであって、図１Ａは、その概略的な斜視図であり、図１Ｂは、当該横編機におけるストッパーの移動並びに固定のための具体的な手段を示す概略的な斜視図である。
【図２】この発明に係る横編機のキャリッジにおける編針誘導カムの機構を示す図であって、図２Ａは、編針誘導カムを平面視した状態を示す概略的な平面図、図２Ｂは、図２Ａにおける２Ｂ−２Ｂ線断面図、図２Ｃは、キャリッジに編針選択スイッチを組み合わせた状態を示す概略的な側面図である。
【図３】この発明に係る実施の一形態におけるキャリッジ側の編針選択スイッチ機構の作動状態を示すものであって、図３Ａは、編針選択スイッチの非作動状態を示す概略的な斜視図、図３Ｂは、編針選択スイッチの作動状態を示す概略的な斜視図である。
【図４】この発明になる横編機における編針の配列態様と、キャリッジによる編針の移動の状況を示す概略的な平面図である。
【符号の説明】
【００４０】
１  編機本体
２  歯口
３  針床
３Ｆ  前針床
３Ｂ  後針床
４  キャリッジ
４Ｆ  前方操作部
４Ｂ  後方操作部
５  編針
６  編糸供給装置
７  編針誘導カム
８  針バット
９Ｈ  山型のカム経路
９Ｌ  直進型のカム経路
１０  検知手段
１１（１１ＦＬ・１１ＦＲ・１１ＢＬ・１１ＢＲ）  ストッパー
１１ａ  ストッパーの当接板部
１１ｂ  ストッパーのスナッピング装着基部
１１ｃ  ストッパーの抜き部
１２（１２ＦＬ・１２ＦＲ・１２ＢＬ・１２ＢＲ）  編針選択スイッチ
１２ａ  入力端
１２ｂ  出力端
１３（１３ＦＬ・１３ＦＲ・１３ＢＬ・１３ＢＲ）  カム経路切替プレート
１４  レバー部材
１４ａ  第１のレバー部
１４ｂ  第２のレバー部
１５  枢支軸
１７  溝手段
１７ａ  第１のガイド溝
１７ｂ  第２のガイド溝
１７ｃ  第３のガイド溝
１８  固定手段
１８ａ  第１の孔部
１８ｂ  第２の孔部
【図１】
2007162165.tif 000005
【図２】
2007162165.tif 000006
【図３】
2007162165.tif 000007
【図４】
2007162165.tif 000008